(57)【特許請求の範囲】
【請求項１】
前方蹴込み部に結合された踏面部であって、一対の側縁部が、互いに結合された踏面部および前方蹴込み部に沿って延び、各側縁部が該側縁部に沿って延びる周溝を有し、周溝は底壁と周溝の長さに沿って底壁から上方に延びる一対の平行なガイドを有する踏面部と、
各周溝内に着脱可能に装着され、各々が平行なガイドを受け入れるための平行なチャンネルを持つ下面を有する境界画定インサートと、
周溝内に境界画定インサートを取り外し可能に保持するために、前記境界画定インサート、踏面部および蹴込み部に位置する固定手段とを備えることを特徴とするエスカレータ踏段。
【請求項２】
周溝内に装着される境界画定インサートは、第１および第２のインターロックインサートを備えていることを特徴とする請求項１に記載のエスカレータ踏段。
【請求項３】
第１のインターロックインサートが踏面部に装着され、第２のインターロックインサートが前方蹴込み部に装着されることを特徴とする請求項２に記載のエスカレータ踏段。
【請求項４】
第１および第２のインターロックインサートは、互いにかみ合うばち形接合部を有していることを特徴とする請求項３に記載のエスカレータ踏段。
【請求項５】
第１および第２のインターロックインサートの少なくとも一方が立ち上り縁部を有していることを特徴とする請求項３に記載のエスカレータ踏段。
【請求項６】
固定手段は、境界画定インサート上にロックアームを有するとともに、踏面部および蹴込み部の少なくとも一方にかみ合い突起を有していることを特徴とする請求項１に記載のエスカレータ踏段。
【請求項７】
固定手段は、境界画定インサート上にロックアームを有するとともに、踏面部および蹴込み部の少なくとも一方にかみ合い凹部を有していることを特徴とする請求項１に記載のエスカレータ踏段。
【請求項８】
固定手段は、境界画定インサート上に長手方向フランジを有するとともに、踏面部および蹴込み部の少なくとも一方にかみ合いチャンネルを有していることを特徴とする請求項４に記載のエスカレータ踏段。
【請求項９】
ロックアームを受け入れるように踏面部および蹴込み部の一方を貫通するアクセスチャンネルを更に有していることを特徴とする請求項６に記載のエスカレータ踏段。
【請求項１０】
ロックアームがかみ合い突起と係合する際に道具がロックアームの頭部に接近できるように、踏面部および蹴込み部の一方を貫通する第１の部分と境界画定インサートを貫通する第２の部分とを有する第２のアクセスチャンネルを更に有していることを特徴とする請求項９に記載のエスカレータ踏段。
【請求項１１】
第１および第２のインターロックインサートの隣接部分に設けられた相補的なタブと凹部とからなる結合手段を更に有していることを特徴とする請求項８に記載のエスカレータ踏段。
【発明の詳細な説明】
【０００１】
【発明の属する技術分野】
一般に、エスカレータ踏段は、鋳造もしくは押し出し成形工程によって形成される。踏段プレートは、踏段パレットの上面および蹴込み（立ち上がり）上に踏面パターンをもって予備成形される。一般に、踏面は、プレートの前側から後側へと延びる一連の平行溝の形態を成している。また、溝は、エスカレータの階の踊り場部分の櫛構造体と係合するように寸法付けられている。
【０００２】
エスカレータ踏段は、エスカレータの側部すなわち欄干に対して一定の動作を行なっているため、エスカレータの安全な使用を容易にするために、一般に、境界画定手段が踏段に適用される。境界画定手段は、エスカレータに乗る人の位置決めを助けて、踏段の両側および前側の蹴込み縁に人が乗らないようにする視覚的な手助けを行なう。一般に、境界画定手段は、踏段の他の部分と異なる色の付いたマーキングから成る。また、境界画定手段は、踏段の表面の踏面の高さの上側に僅かに立ち上がることによって、踏段の両側縁部に物理的な境界を形成している場合もある。
【０００３】
エスカレータの踏段縁部に境界画定手段を適用する現在の方法は、踏段の表面上に適当なストリップ（帯）を塗装したり、ネジ、ナット、ボルト、リベットを使用して踏段の縁部の表面上に境界画定ストリップ（帯片）を装着（取付け）したり、あるいは、踏段の製造における鋳造もしくは押し出し成形工程の一部として境界画定蹴込みを形成することを含んでいる。
【０００４】
踏段の表面上に適当なストリップを塗装する方法は、マーキングが使用時に擦り減ってしまうため、一定のメンテナンスが必要となる。ネジやリベット等で踏段の表面上に境界画定ストリップを固定する方法は、固定部分の周囲に機械的な応力が集中するため、しばしば早期故障を引き起こす。適当な工程の一部として境界画定ストリップを組み込む方法は、境界画定ストリップの交換ができなくなり、また、製造コストが実質的に増大する。
【０００５】
【発明が解決しようとする課題】
したがって、本発明の目的は、エスカレータ踏段に使用でき且つ必要な時に容易に交換できる新規で改良された境界画定ストリップを提供することにある。
【０００６】
本発明の他の目的は、踏段上に容易に装着して交換することができるとともに、早期故障を引き起こすような局部的な力を形成しない境界画定ストリップを提供することにある。
【０００７】
本発明の更なる他の目的は、前述した特性を有する交換可能な境界画定ストリップを受け入れるように形成されたエスカレータ踏段を提供することにある。
【０００８】
【課題を解決するための手段】
前述した目的および他の目的にしたがって、本発明の境界画定ストリップはエスカレータ踏段に装着可能なインサートを備えており、摩擦および／または干渉によって固定する装置を形成するインサートと踏段の対応する部分とのかみ合い（ｍａｔｉｎｇ）によって装着がなされる。エスカレータ踏段には、インサートを受け入れるようになっている凹状の縁部が形成されており、これにより、インサートは踏段の各縁部として機能する。境界画定ストリップは、踏段への装着時に互いに結合されて剛性および安定性を向上させる別個の蹴込み（ｒｉｓｅｒ）部および踏面（ｔｒｅａｄ）部に形成することができる。
【０００９】
添付図面を参照しながら、以下の本発明の好ましい例示的実施形態の説明を考慮すれば、本発明を更に理解することができる。
【００１０】
【発明の実施の形態】
まず、図１を参照すると、エスカレータ１は複数の踏段パレット２を有している。これらの踏段パレット２は、互いに結合されるとともに、上階と下階との間すなわち２つのレベル間で循環する。踏段パレットは一対の欄干３間に配置されており、欄干の一方だけが図示されている。一般に、欄干には、踏段と同期して動作する無端手摺４が設けられている。一般に、各踏段パレット２は、水平に延びる踏面部５と、垂直な前方蹴込み部６とを有している。踏面部５と前方蹴込み部６の両者の側面には、これらの位置を示して確認するとともにエスカレータに乗る人をこれらの部位から離れるように方向付ける境界画定手段が設けられている。踏段パレット２は、踏段プレート５と前方蹴込み部６とが一体に形成された成型構造体から成っていても良い。
【００１１】
図２ａおよび図２ｂは、本発明に係る境界画定インサートを受け入れるように構成されたエスカレータ踏段パレット２を示している。図示のように、踏段の各側縁部には、踏面部５と前方蹴込み部６の両者の側面に沿って延びる露出した切り欠きすなわち溝（ｓｌｏｔ）７が形成されている。各切り欠きは、図３ａおよび図３ｂに示されるような一対の境界画定インサートを受け入れるようにその寸法が設定されている。踏段の切り欠き部には、境界画定インサートをその上に位置決めでき且つ境界画定インサートを所定の位置で固定することに寄与し得る一対の平行な突起すなわちガイド８が形成されていても良い。踏段２は、溝すなわち切り欠き７を有する踏面部および前方蹴込み部の両者に一体に設けられた踏面溝パターン１０と、そこに一体に形成されたガイド８とを共に有するように、有利に成型されていても良い。
【００１２】
踏面部と前方蹴込み部の両者には、これらの内面に配置された一対または複数対の小突起９と、小突起の前後で踏段パレットを貫通する角度を成したアクセス溝１１、１２の対とが設けられている。突起９は、境界画定インサートの対応する固定（ロッキング）手段が溝１１を通じて踏段パレットを貫通して突起９と係合する際に、境界画定インサートの固定手段とかみ合う部分を備えている。取り付けられた境界画定インサートを取り外すことができるように、アクセス溝１２には、固定手段の係合を解除するための道具を挿入できる。
【００１３】
図３ａおよび図３ｂは、図２ａおよび図２ｂのエスカレータ踏段に装着される、本発明に係る踏段プレート境界画定インサート１３および蹴込み境界画定インサート１４の一部をそれぞれ示している。これらの境界画定インサートの両者には、踏面部５および前方蹴込み部６上のパターンと一列に並べられる踏面パターンすなわち溝パターン１０が形成されている。境界画定インサートには、これと一体を成して立ち上がる縁部１８が形成されている。この縁部１８は、エスカレータの欄干のスカート部の内面に対し同一平面上で重なるように配置され、使用者を踏段の縁部から離すように方向付ける。各インサートの下面には、互いに離間した一対の平行な溝１５が設けられており、これらの溝１５は踏段上の対応するガイド８とかみ合う。踏段上でインサートを保持するため、各境界画定インサートの下面には、一対の固定部材１６が設けられている。各固定部材は、その端部に略垂直な固定タブ２１を有する可撓性のアーム２０の形態を成している。角度を成したアクセス溝１７が、固定手段に隣接して、境界画定インサートを貫通して延びている。このアクセス溝１７は、踏段上の対応するアクセス溝１２と位置合わせされるように配置される。境界画定インサートは、踏段パレットの材料と類似もしくは同一の材料であって、金属やプラスチックを含む材料から成型されても良い。
【００１４】
図４ａおよび図４ｂは、図２ａおよび図２ｂの踏段２上に装着された図３ａおよび図３ｂの境界画定インサートを示している。インサートの表面上の踏面パターン１０は、踏面部および前方蹴込み部上の踏面パターンと一列に並んで連続している。一方、踏面境界画定インサート上の立ち上がり縁部１８は、踏段の側縁部１９と同一平面上に位置する延長部分としての役目を果たす。ガイド８と固定部材１６との組み合わせによって、インサートが踏段上の所定位置に位置合わせされて保持される。踏面境界画定インサート１３は踏面部５上に装着され、一方、蹴込み境界画定インサート１４は、蹴込み部６に装着されて、蹴込み部６の縁部を保護する。インサート１３、１４は、踏段上への取付け時にこれらを一緒に着脱自在に固定できるように、インターロック構造を成していても良い。図示のように、踏面境界画定インサート１３の前側縁部２２には、半ばち形フランジ（ｓｅｍｉ−ｄｏｖｅｔａｉｌ  ｆｌａｎｇｅ）２３が形成されている。踏面境界画定インサートは、踏段の前側縁部の後方で終端するように構成されて寸法付けられていることが好ましい。蹴込み境界画定インサート１４は略逆Ｌ字形状に形成されていることが好ましく、その水平脚部２４は、踏面境界画定インサート１３の前側端縁と当接するように寸法付けられている。脚部２４の前縁には、踏面インサート９の対応するフランジ２３とかみ合う半ばち形の縦溝が形成されている。このようなインターロック結合により、踏段上に踏面インサートを保持した際に、蹴込み境界画定インサートが踏段パレットから分離されてしまうことが防止される。
【００１５】
踏面インサート１３は、略後方下側にスライドする位置決め動作によって、踏面部に装着される。これにより、固定手段１６は、の踏面部のアクセス溝１１を通り抜けて、突起９と固定係合する。その後、蹴込み境界画定インサートが同様な方法で踏段の蹴込み部に向けて内側下方にスライドされ、蹴込み境界画定インサートの固定手段１６は、踏段の蹴込み部の対応するアクセス溝１１を通じて蹴込み部の対応する突起９と係合する。半ばち形の部分同士が相互に係合し且つ固定手段と突起とが互いに係合するこのような組み合わせによって、境界画定インサートは踏段パレット上の所定位置に保持される一方で、アクセス溝１２、１７を通じて踏段の表面からロッド状の道具を挿入すると、固定手段１６の頭部を対応する突起９から解放して係合状態を解除でき、したがって、修理点検が必要な時には境界画定インサートを自由に取り外して交換することができる。
【００１６】
図５および図６は、踏段パレットに境界画定インサートを装着する他の手段を示している。図示のように、保持する目的で、一対の固定部材２５がインサートの底縁部に沿って配置されている。更に図６に示されるように、境界画定インサートの底縁部３２には、拡大頭部２７を有する一対の対向するロックアーム２６が形成されている。踏段の対応するガイド８には、頭部を受ける溝すなわち戻り止め２８が形成されており、ロックアームの可撓性によってロックアームを内側に曲げて頭部を保持溝内に通過させることができる。他の方法としては、頭部をスライドさせて保持溝に係合させることができるキー溝をガイドに形成しても良い。境界画定インサートを取り外す必要がある時に頭部２７を解除するために、道具を挿入可能な角度を成すアクセス溝（図示せず）を設けても良い。
【００１７】
図７は、踏面部および蹴込み部の両者の側縁部に横方向に延びるチャンネル２９とガイド８とが設けられた踏段パレット２を示している。図８は、対応する踏面境界画定インサート１３の断面を示している。この踏面境界画定インサート１３には、対応する横方向フランジ３０が設けられている。図９は、踏面プレート部にかみ合わされた境界画定インサートを示している。この場合も同様に、踏段プレート境界画定インサートは、踏段の前方から後方にスライドされて嵌合され、踏段上に装着される。その後、蹴込み境界画定インサートは、同様に、踏段の前面上で下方にスライドされて嵌合され、踏段の蹴込み部に装着される。この場合、２つのインサートのばち形部材同士は、互いに結合するとともに、踏面プレートインサートを前後方向で適切に保持する。このような構成において、蹴込み境界画定インサートは、横方向フランジを有しておらず、水平方向に比較的僅かに延びる部分を有している。蹴込みインサートが取り付けられる際の干渉を避けるため、踏面部のチャンネル２９は、蹴込みインサートの水平脚部の位置の後側ではじまっていても良い。
【００１８】
図１０に示されるように、蹴込み境界画定インサートの後縁には、サイドレール部上に、切り取られた凹状の部分３３が設けられている。踏面インサートのサイドレール部には、対応する小さなフラップ部すなわちタブ部３１が形成されている。また、その他の方法としては、インサートの踏面部形成領域のような別の位置に、凹状の部分およびフラップ部が設けられていても良い。フラップは、蹴込みインサートが取り付けられる際に適当な道具を使用することによって上方に僅かに位置することができ、これによって、蹴込みインサートが通過して踏面インサートのばち形部分と係合できるように、弾力性をもって寸法付けされている。蹴込みインサートが所定の位置に配置されると、フラップが凹状の部分３３とかみ合い、蹴込みインサートが所定の位置に保持される。インサートを取り外す場合には、道具を再び使用して、フラップ部の位置を僅かにずらし、蹴込みインサートを上方に移動させて取り外すことができるようにする。その後、踏面インサートを取り外す。このような構成により、前述したようなフックアームを使用する必要がなくなるため、有益である。
【図面の簡単な説明】
【図１】本発明が適用される従来のエスカレータ構造を示す図である。
【図２ａ】境界画定インサートを受けるようになっている本発明に係るエスカレータ踏段パレットの側面図である。
【図２ｂ】図２ａのエスカレータ踏段パレットの一部切断された正面図である。
【図３ａ】互いに連結された本発明に係る踏面境界画定インサートおよび蹴込み境界画定インサートの側面図である。
【図３ｂ】図３の３’−３’線に沿う踏面境界画定インサートの正面図である。
【図４ａ】踏面境界画定インサートと蹴込み境界画定インサートとを所定の位置に配置した状態を示すエスカレータ踏段の側面図である。
【図４ｂ】図４ａのエスカレータ踏段およびインサートの一部切断された正面図である。
【図５】他の固定手段によって踏面インサートおよび蹴込みインサートがその上に装着されたエスカレータ踏段の側断面図である。
【図６】図５の６−６線に沿う図５の固定手段の詳細な断面図である。
【図７】本発明の境界画定インサートを所定位置に保持する鋳造保持チャンネルが設けられたエスカレータ踏段パレットの部位の一部切断された正面図である。
【図８】図７に示された踏段パレット上に装着するように形成された境界画定インサートの断面図である。
【図９】図８の踏段パレット上に装着された図８の境界画定インサートを示す一部切断された正面図である。
【図１０】図８の一対の境界画定インサートが互いに結合された状態を示す側面図である。
【符号の説明】
１  エスカレータ
２  踏段パレット
３  欄干
４  無端手摺
５  踏面部
６  前方蹴込み部
７  溝
８  ガイド
９  突起
１０  踏面溝パターン
１１、１２、１７  アクセス溝
１３  踏段プレート境界画定インサート
１４  蹴込み境界画定インサート
１５  平行な溝
１６  固定部材
１８  立ち上がり端部
２２  前側端部
２３  フランジ
２４  脚部
２５  一対の固定部材
２６  ロックアーム
２７  頭部
２８  戻り止め
２９  チャンネル
３０  横方向フランジ
３１  タブ部
３３  凹状の部分
【図１】
0004675473.tif 000002
【図２ａ】
0004675473.tif 000003
【図２ｂ】
0004675473.tif 000004
【図３ａ】
0004675473.tif 000005
【図３ｂ】
0004675473.tif 000006
【図４ａ】
0004675473.tif 000007
【図４ｂ】
0004675473.tif 000008
【図５】
0004675473.tif 000009
【図６】
0004675473.tif 000010
【図７】
0004675473.tif 000011
【図８】
0004675473.tif 000012
【図９】
0004675473.tif 000013
【図１０】
0004675473.tif 000014